(57)【特許請求の範囲】
【請求項１】
変換器ケース本体の変換器室側に窓ガラスカバーあるいは端子側カバーが取り付けられる変換器ケースにおいて、
筒軸を中心にリング状に一方の周端縁の外周面に沿って設けられた雄ねじ部が変換器ケース本体の変換器室側の開口部の内周端縁に沿って設けられた雌ねじ部にねじ合わされ筒軸を中心にリング状に他方の周端縁の内周面に沿って設けられた雌ねじ部が窓ガラスカバーあるいは端子側カバーの開口部の外周端縁に沿って設けられた雄ねじ部にねじ合わされ筒状をなす第１の拡張ケース
を具備したことを特徴とする変換器ケース。
【請求項２】
変換器ケース本体の端子室側に端子側カバーが取り付けられる変換器ケースにおいて、  筒軸を中心にリング状に一方の周端縁の外周面に沿って設けられた雄ねじ部が変換器ケース本体の端子室側の開口部の内周端縁に沿って設けられた雌ねじ部にねじ合わされ筒軸を中心にリング状に他方の周端縁の内周面に沿って設けられた雌ねじ部が端子側カバーの開口部の外周端縁に沿って設けられた雄ねじ部にねじ合わされ筒状をなす第２の拡張ケース
を具備したことを特徴とする変換器ケース。
【請求項３】
変換器ケース本体の変換器室側に窓ガラスカバーあるいは端子側カバーが取り付けられ変換器ケース本体の端子室側に端子側カバーが取り付けられる変換器ケースにおいて、
筒軸を中心にリング状に一方の周端縁の外周面に沿って設けられた雄ねじ部が変換器ケース本体の変換器室側の開口部の内周端縁に沿って設けられた雌ねじ部にねじ合わされ筒軸を中心にリング状に他方の周端縁の内周面に沿って設けられた雌ねじ部が窓ガラスカバーあるいは端子側カバーの開口部の外周端縁に沿って設けられた雄ねじ部にねじ合わされ筒状をなす第１の拡張ケースと、
筒軸を中心にリング状に一方の周端縁の外周面に沿って設けられた雄ねじ部が変換器ケース本体の端子室側の開口部の内周端縁に沿って設けられた雌ねじ部にねじ合わされ筒軸を中心にリング状に他方の周端縁の内周面に沿って設けられた雌ねじ部が端子側カバーの開口部の外周端縁に沿って設けられた雄ねじ部にねじ合わされ前記第１の拡張ケースと同一形状の筒状をなす第２の拡張ケースと、
を具備したことを特徴とする変換器ケース。
【発明の詳細な説明】
【技術分野】
【０００１】
本発明は、変換器ケースに関するものである。
更に詳述すれば、部品の共通化や拡張性向上を実現出来る変換器ケースに関するものである。
【背景技術】
【０００２】
図５は従来より一般に使用されている従来例の要部構成説明図で、表示器が内蔵された変換器である。
図において、１は変換器ケース本体、２は変換器ケース本体１に取り付けられた窓ガラスカバーで、変換器ケース本体１と変換器室３を構成する。
変換器室３には、アンプユニット４と表示器５とが取り付けられている。
６は変換器ケース本体１に取り付けられた端子側カバーで、変換器ケース本体１と端子室７を構成する。
【０００３】
図６は従来より一般に使用されている他の従来例の要部構成説明図で、表示器が内蔵されていない変換器である。
図において、１は変換器ケース本体、１１は変換器ケース本体１に取り付けられた、窓ガラスがない変換器側カバーで、変換器ケース本体１と変換器室１２を構成する。
変換器室１２には、アンプユニット４のみが取り付けられている。
６は変換器ケース本体１に取り付けられた端子側カバーで、変換器ケース本体１と端子室７を構成する。
【０００４】
図７は従来より一般に使用されている他の従来例の要部構成説明図で、表示器が内蔵された変換器である。
図において、２１は変換器ケース本体、２２は変換器ケース本体１に取り付けられた窓ガラスカバーで、変換器ケース本体２１と変換器室２３を構成する。
変換器室２３には、アンプユニット４と表示器５とが取り付けられている。
６は変換器ケース本体２１に取り付けられた端子側カバーで、変換器ケース本体２１と端子室７を構成する。
【０００５】
図８は従来より一般に使用されている他の従来例の要部構成説明図で、表示器が内蔵されていない変換器である。
図において、２１は変換器ケース本体、６は変換器ケース本体２１に取り付けられた端子側カバーで、変換器ケース本体２１と変換器室３１を構成する。
変換器室３１には、アンプユニット４のみが取付けられている。
６は変換器ケース本体２１に取り付けられた端子側カバーで、変換器ケース本体２１と端子室７を構成する。
【０００６】
以上の構成において、図５の様に、アンプユニット４が、変喚器ケース本体１よりかなり出ており、それを保護するために、窓ガラスカバー２が長かった。
また、図６の様に、表示器なしの場合、窓ガラスカバー２の代わりに、窓ガラスカバー２と別の形状を有する変換器側カバー１１を別途使用していた。
または、別の形状構成としては、図７の様に、変換器ケース本体２１自体を長くしていた。この場合、表示器なしの場合は、図８の様に、端子側カバー６を変換器室３１側に取り付けることにより部品の共通化を行ってきていた。
【先行技術文献】
【特許文献】
【０００７】
【特許文献１】特開２００８−１９１０００号公報
【特許文献２】特開２０１１−１３３４５２号公報
【発明の概要】
【発明が解決しようとする課題】
【０００８】
このような装置においては、以下の問題点がある。
従来は図５の様に、アンプユニット４が、変換器ケース本体１よりかなり出てしまい、それを保護するために、窓ガラスカバー２を長くする必要があった。
また、表示器なしの場合、図６の様に、窓ガラスカバー２の代わりに、変換器側カバー１１を別途用意する必要があった。
【０００９】
図７、図８の場合は、変換器ケース本体２１が長くなり、通常、変換器ケース本体２１やカバー２２、６は鋳物で製造するため、大きさによって成形機が異なり、カバー２２、６よりかなり大きい変換器ケース本体２１は、より能力の高い高価な成形機が必要となってしまう。
また、成形機が異なることで、材料変更等が容易ではなかった。
【００１０】
本発明の目的は、上記の課題を解決するもので、部品の共通化や拡張性向上を実現出来る変換器ケースを提供することにある。
【課題を解決するための手段】
【００１１】
このような課題を達成するために、本発明では、請求項１の変換器ケースにおいては、
変換器ケース本体の変換器室側に窓ガラスカバーあるいは端子側カバーが取り付けられる変換器ケースにおいて、筒軸を中心にリング状に一方の周端縁の外周面に沿って設けられた雄ねじ部が変換器ケース本体の変換器室側の開口部の内周端縁に沿って設けられた雌ねじ部にねじ合わされ筒軸を中心にリング状に他方の周端縁の内周面に沿って設けられた雌ねじ部が窓ガラスカバーあるいは端子側カバーの開口部の外周端縁に沿って設けられた雄ねじ部にねじ合わされ筒状をなす第１の拡張ケースを具備したことを特徴とする。
【００１２】
本発明の請求項２の変換器ケースにおいては、
変換器ケース本体の端子室側に端子側カバーが取り付けられる変換器ケースにおいて、  筒軸を中心にリング状に一方の周端縁の外周面に沿って設けられた雄ねじ部が変換器ケース本体の端子室側の開口部の内周端縁に沿って設けられた雌ねじ部にねじ合わされ筒軸を中心にリング状に他方の周端縁の内周面に沿って設けられた雌ねじ部が端子側カバーの開口部の外周端縁に沿って設けられた雄ねじ部にねじ合わされ筒状をなす第２の拡張ケースを具備したことを特徴とする。
【００１３】
本発明の請求項３の変換器ケースにおいては、
変換器ケース本体の変換器室側に窓ガラスカバーあるいは端子側カバーが取り付けられ変換器ケース本体の端子室側に端子側カバーが取り付けられる変換器ケースにおいて、
筒軸を中心にリング状に一方の周端縁の外周面に沿って設けられた雄ねじ部が変換器ケース本体の変換器室側の開口部の内周端縁に沿って設けられた雌ねじ部にねじ合わされ筒軸を中心にリング状に他方の周端縁の内周面に沿って設けられた雌ねじ部が窓ガラスカバーあるいは端子側カバーの開口部の外周端縁に沿って設けられた雄ねじ部にねじ合わされ筒状をなす第１の拡張ケースと、
筒軸を中心にリング状に一方の周端縁の外周面に沿って設けられた雄ねじ部が変換器ケース本体の端子室側の開口部の内周端縁に沿って設けられた雌ねじ部にねじ合わされ筒軸を中心にリング状に他方の周端縁の内周面に沿って設けられた雌ねじ部が端子側カバーの開口部の外周端縁に沿って設けられた雄ねじ部にねじ合わされ前記第１の拡張ケースと同一形状の筒状をなす第２の拡張ケースと、を具備したことを特徴とする。
【発明の効果】
【００１４】
本発明の請求項１によれば、次のような効果がある。
変換器ケース本体と、窓ガラスカバーあるいは端子側カバーのそれぞれの形状を統一して部品の共通化や拡張性向上を実現出来る変換器ケースが得られる。
【００１５】
本発明の請求項２によれば、次のような効果がある。
変換器ケース本体と、端子側カバーのそれぞれの形状を統一して部品の共通化や拡張性向上を実現出来る変換器ケースが得られる。
【００１６】
本発明の請求項３によれば、次のような効果がある。
第１の拡張ケースと第２の拡張ケースとのそれぞれの形状を統一して、更に、部品の共通化や拡張性向上を実現出来る変換器ケースが得られる。
【図面の簡単な説明】
【００１７】
【図１】本発明の一実施例の要部構成説明図である。
【図２】本発明の他の実施例の要部構成説明図である。
【図３】本発明の他の実施例の要部構成説明図である。
【図４】本発明の他の実施例の要部構成説明図である。
【図５】従来より一般に使用されている従来例の要部構成説明図である。
【図６】従来より一般に使用されている他の従来例の要部構成説明図である。
【図７】従来より一般に使用されている他の従来例の要部構成説明図である。
【図８】従来より一般に使用されている他の従来例の要部構成説明図である。
【発明を実施するための形態】
【００１８】
以下本発明を図面を用いて詳細に説明する。
図１は本発明の一実施例の要部構成説明図である。
図において、図５と同一記号の構成は同一機能を表す。
以下、図５との相違部分のみ説明する。
【００１９】
図１において、第１の拡張ケース４２は、一方の端縁４２１が変換器ケース本体４１の変換器室側に取り付けられ、他方の端縁４２２が窓ガラスカバー２２に取り付けられ筒状をなす。
変換器ケース本体４１と第１の拡張ケース４２と窓ガラスカバー２２とにより、変換器室２３が構成される。
【００２０】
以上の構成において、変換器ケース本体４１の変換器室側に、第１の拡張ケース４２の一方の端縁４２１が取り付けられ、第１の拡張ケース４２の他方の端縁４２２に窓ガラスカバー２２が取り付けられ、変換器室２３が構成される。
変換器ケース本体４１の端子室側には、端子側カバー６が取り付けられて端子室７が構成される。
【００２１】
この結果、変換器ケース本体４１と、窓ガラスカバー２２あるいは端子側カバー６のそれぞれの形状を統一して部品の共通化や拡張性向上を実現出来る変換器ケースが得られる。
変換器本体４１の長さが短く出来、通常、変換器本体４１やカバー２２、６は鋳物で製造するため、それぞれ、一種類の成形機に統一でき、特に、カバー２２、６よりかなり大きい変換器ケース本体４１を一種類に統一できる効果は大で、安価に出来る変換器ケースが得られる。
【００２２】
従って、材料変更に対しても容易に対処出来る変換器ケースが得られる。
第１の拡張ケース４２は、筒状の簡潔な構成であるので、長さを変更することにより、変換器室の変更に対して、安価、容易に対処出来る変換器ケースが得られる。
【００２３】
図２は、本発明の他の実施例の要部構成説明図である。
図２において、第１の拡張ケース４２は、一方の端縁４２１が変換器ケース本体４１の変換器室側に取り付けられ、他方の端縁４２２が端子側カバー６に取り付けられ筒状をなす。
変換器ケース本体４１と第１の拡張ケース４２と端子側カバー６とにより、変換器室３１が構成される。
【００２４】
以上の構成において、変換器ケース本体４１の変換器室側に、第１の拡張ケース４２の一方の端縁４２１が取り付けられ、第１の拡張ケース４２の他方の端縁４２２に端子側カバー６が取り付けられ、変換器室３１が構成される。
変換器ケース本体４１の端子室側には、端子側カバー６が取り付けられて端子室７が構成される。
【００２５】
この結果、変換器ケース本体４１と、端子側カバー６のそれぞれの形状を統一して部品の共通化や拡張性向上を実現出来る変換器ケースが得られる。
変換器本体４１の長さが短く出来、通常、変換器本体４１やカバー６は鋳物で製造するため、それぞれ、一種類の成形機に統一でき、特に、カバー６よりかなり大きい変換器ケース本体４１を一種類に統一できる効果は大で安価に出来る変換器ケースが得られる。
【００２６】
従って、材料変更に対しても容易に対処出来る変換器ケースが得られる。
第１の拡張ケース４２は、筒状の簡潔な構成であるので、長さを変更することにより、変換器室の変更に対して、安価、容易に対処出来る変換器ケースが得られる。
表示器５のない場合に、容易に対処出来る変換器ケースが得られる。
【００２７】
図３は、本発明の他の実施例の要部構成説明図である。
図３において、第１の拡張ケース４２は、一方の端縁４２１が変換器ケース本体４１の変換器室側に取り付けられ、他方の端縁４２２が窓ガラスカバー２２に取り付けられ、筒状をなす。
第２の拡張ケース４３は、一方の端縁４３１が変換器ケース本体４１の端子室側に取り付けられ、他方の端縁４３２が端子側カバー６に取り付けられ、筒状をなす。
【００２８】
この場合は、第１の拡張ケース４２と第２の拡張ケース４３とは、同一形状の筒状をなす。なお、第１の拡張ケース４２と第２の拡張ケース４３とは、同一形状でなくても良いことは勿論である。
４４は、変換器ケース本体４１の端子室側に取り付けられた電池である。
【００２９】
なお、表示器５が使用されない場合には、第１の拡張ケース４２の他方の端縁４２２には端子側カバー６が取り付けられる。
【００３０】
以上の構成において、変換器ケース本体４１の変換器室側に、第１の拡張ケース４２の一方の端縁４２１が取り付けられ、他方の端縁４２２に窓ガラスカバー２２が取り付けられ、変換器室２３を構成する。
変換器ケース本体４１の端子室側に、第２の拡張ケース４３の一方の端縁４３１が取り付けられ、他方の端縁４３２に端子側カバー６が取り付けられ、端子室４５を構成する。
【００３１】
この結果、変換器ケース本体４１と、端子側カバー６のそれぞれの形状を統一して部品の共通化や拡張性向上を実現出来る変換器ケースが得られる。
変換器本体４１の長さが短く出来、通常、変換器本体４１や窓ガラスカバー２２やカバー６は鋳物で製造するため、それぞれ、一種類の成形機に統一でき、特に、窓ガラスカバー２２やカバー６よりかなり大きい変換器ケース本体４１を一種類に統一できる効果は大で安価に出来る変換器ケースが得られる。
【００３２】
従って、材料変更に対しても容易に対処出来る変換器ケースが得られる。
第１の拡張ケース４２は、筒状の簡潔な構成であるので、長さを変更することにより、変換器室の変更に対して、安価、容易に対処出来る変換器ケースが得られる。
第２の拡張ケース４３は、筒状の簡潔な構成であるので、長さを変更することにより、端子室の変更に対して、安価、容易に対処出来る変換器ケースが得られる。
【００３３】
端子室４５に電池４４を具備することが可能となり、容易に電池駆動の無線フィールド機器への対応が可能となる変換器ケースが得られる。
表示器５のない場合には、窓ガラスカバー２２の替りに、図２に示す如く、端子側カバー６を使用すれば良く、表示器５のない場合にも容易に対処出来る変換器ケースが得られる。
【００３４】
図４は、本発明の他の実施例の要部構成説明図である。
図４において、変換器ケース本体４１の変換器室側に窓ガラスカバー２２が直接に取り付けられた実施例である。
【００３５】
以上の構成において、変換器ケース本体４１の変換器室側に、窓ガラスカバー２２が直接に取り付けられ、変換器室５１が構成される。
変換器ケース本体４１の端子室側には、端子側カバー６が取り付けられて端子室７が構成される。
【００３６】
この結果、変換器ケース本体４１が小さく出来るので、アンプユニット５２が小型化されたコンパクトな他機種にも同じケースを利用することが容易に可能となる変換器ケースが得られる。
【００３７】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３８】
１      変換器ケース本体
２      窓ガラスカバー
３      変換器室
４      アンプユニット
５      表示器
６      端子側カバー
７      端子室
１１    変換器側カバー
１２    変換器室
２１    変換器ケース本体
２２    窓ガラスカバー
２３    変換器室
３１    変換器室
４１    変換器ケース本体
４２    第１の拡張ケース
４２１  一方の端縁
４２２  他方の端縁
４３    第２の拡張ケース
４３１  一方の端縁
４３２  他方の端縁
４４    電池
４５    端子室
５１    変換器室
５２    アンプユニット
【図１】
0006035729.tif 000002
【図２】
0006035729.tif 000003
【図３】
0006035729.tif 000004
【図４】
0006035729.tif 000005
【図５】
0006035729.tif 000006
【図６】
0006035729.tif 000007
【図７】
0006035729.tif 000008
【図８】
0006035729.tif 000009